(57)【要約】【課題】エレベータシステムの安全性を低下させることなくエレベータシステムの保守及び修理を容易にするエレベータ安全システムを提供する。【解決手段】エレベータシステム（２）は、複数の乗場（８ａ、８ｂ、８ｃ）の間に延びる昇降路（４）、昇降路（４）に沿って２つの対向する方向に移動するように構成されたエレベータかご（６０）、及びエレベータ安全システム（１）を含む。エレベータ安全システム（１）は、昇降路（４）に沿って移動し、作動時にエレベータかご（６０）の移動を制動するように構成された少なくとも１つの安全装置（２０）、少なくとも１つの安全装置（２０）と共に昇降路（４）に沿って移動し、少なくとも１つの安全装置（２０）を制御するように構成された少なくとも１つの可動安全ノード（４３、４５）、及び少なくとも１つの静止安全ノード（４２、４４）を含む。【選択図】図２
2020001923.tif 000002
【特許請求の範囲】
【請求項１】
複数の乗場（８ａ、８ｂ、８ｃ）の間に延びる昇降路（４）と、
前記昇降路（４）に沿って２つの対向する方向に移動するように構成されたエレベータかご（６０）と、
エレベータ安全システム（１）と、を備え、前記エレベータ安全システム（１）は、
前記昇降路（４）に沿って移動し、作動時に前記エレベータかご（６０）の移動を制動するように構成された少なくとも１つの安全装置（２０）と、
前記少なくとも１つの安全装置（２０）と共に前記昇降路（４）に沿って移動し、前記少なくとも１つの安全装置（２０）を制御するように構成された少なくとも１つの可動安全ノード（４３、４５）と、
少なくとも１つの静止安全ノード（４２、４４）と、
前記安全ノード（４２〜４５）を互いに接続し、前記安全ノード（４２〜４５）が互いに通信できるようにする通信バス（１７）と、を含む、エレベータシステム（２）。
【請求項２】
前記少なくとも１つのエレベータ安全装置（２０）及び前記少なくとも１つの可動安全ノード（４３、４５）が前記エレベータかご（６０）に取り付けられている、請求項１に記載のエレベータシステム（２）。
【請求項３】
前記エレベータかご（６０）に対して同時に反対方向に移動する釣合おもり（１６）をさらに備え、
前記少なくとも１つのエレベータ安全装置（２０）及び前記少なくとも１つの可動安全ノード（４３、４５）が、前記釣合おもり（１６）に取り付けられている、請求項１または２に記載のエレベータシステム（２）。
【請求項４】
前記通信バス（１７）に接続され、前記昇降路（４）内の前記エレベータかご（６０）の位置を検出するように構成された位置センサ（１８）をさらに備える、請求項１〜３のいずれかに記載のエレベータシステム（２）。
【請求項５】
前記通信バス（１７）に接続され、前記エレベータかご（６０）の速度及び／または加速度を検出するように構成された速度及び／または加速度センサ（３４）をさらに備える、請求項１〜４のいずれかに記載のエレベータシステム（２）。
【請求項６】
前記通信バス（１７）がシリアルバス、特にシリアルフィールドバスであり、
特に前記静止及び可動安全ノード（４２〜４５）が前記シリアルバスを介して通信するためのＩＥＣ  ６１７８４−３安全規格を満たす通信プロトコルを使用する、請求項１〜５のいずれかに記載のエレベータシステム（２）。
【請求項７】
安全制御部（４０）をさらに含み、
前記少なくとも１つの静止安全ノード（４２、４４）が前記安全制御部（４０）に接続されるか前記安全制御部（４０）に一体化され、前記安全制御部（４０）が前記通信バス（１７）を介して通信することを可能にし、
前記少なくとも１つの静止安全ノード（４２、４４）及び前記安全制御部（４０）が特に緊急時・検査制御ユニット（４６）に関連付けられるか含まれる、請求項１〜６のいずれかに記載のエレベータシステム（２）。
【請求項８】
前記安全制御部（４０）は、エレベータ駆動装置（５）、及び／または前記エレベータ駆動装置（５）に設けられたエレベータブレーキ（７）を制御するように構成され、
前記安全制御部（４０）は、特に、前記安全制御部（４０）に割り当てられた前記静止安全ノード（４２、４４）を介して前記エレベータ駆動装置（５）及び／または前記エレベータ駆動装置（５）に設けられた前記エレベータブレーキ（７）を制御するように構成される、請求項７に記載のエレベータシステム（２）。
【請求項９】
前記昇降路（４）の下端（３３）に位置し、制御コマンドを前記安全制御部（４０）に送信することを可能にするべく前記通信バス（１７）に接続される静止安全ノード（４４）をさらに備え、
及び／または前記エレベータかご（６０）の頂部に位置し、前記通信バス（１７）に接続されている可動安全ノード（４５）をさらに含む、請求項７または８のいずれかに記載のエレベータシステム（２）。
【請求項１０】
前記安全制御部（４０）が複数の動作モードの間で切り替え可能である、請求項７〜９のいずれかに記載のエレベータシステム（２）。
【請求項１１】
前記複数の動作モードは、少なくとも１つの所定の上側位置限界（Ｕ）及び／または少なくとも１つの所定の下側位置限界（Ｌ）を設定する少なくとも１つの動作モードを含み、
前記安全制御部（４０）が、前記エレベータかご（６０）の絶対的な位置が前記所定の上側位置限界（Ｕ）を超えたとき、及び／または前記エレベータかご（６０）の絶対的な位置が前記所定の下側位置限界（Ｌ）を下回るときに安全装置（２０）を作動させるように構成される、請求項１０に記載のエレベータシステム（２）。
【請求項１２】
前記複数の動作モードは、下側位置限界（Ｌ）のみ設定する少なくとも１つのかご下方検査モード、及び／または上側位置限界（Ｕ）のみ設定する少なくとも１つのかご頂部検査モード、及び／または上側位置限界（Ｕ）と下側位置限界（Ｌ）を設定する少なくとも１つの動作モードを含む、請求項１１に記載のエレベータシステム（２）。
【請求項１３】
前記安全制御部（４０）は、前記エレベータかご（６０）が前記昇降路（４）に沿って移動する学習運転中に前記上側位置限界（Ｕ）及び／または前記下側位置限界（Ｌ）を設定するように構成された少なくとも１つの学習モードを含む、請求項１１または１２に記載のエレベータシステム（２）。
【請求項１４】
前記安全制御部（４０）は、前記エレベータかご（６０）の前記速度を判定し、前記エレベータかご（６０）の前記速度が所定の速度制限を超えたとき、安全装置（２０）を作動させるように構成され、
前記所定の速度制限は、現在選択されている動作モードの関数として、及び／または前記昇降路（４）内の前記エレベータかご（６０）の前記位置の関数として設定される、請求項１１〜１３のいずれかに記載のエレベータシステム（２）。
【請求項１５】
前記少なくとも１つの可動安全ノード（４３、４５）と前記少なくとも１つの静止安全ノード（４２、４４）とが前記通信バス（１７）を介して互いに通信することを含む、請求項１〜１４のいずれかに記載のエレベータシステム（２）を動作させる方法。
【発明の詳細な説明】
【技術分野】
【０００１】
本発明は、エレベータ安全システムを備えたエレベータシステムに関する。
【背景技術】
【０００２】
エレベータシステムは、通常、複数の乗場間を昇降路に沿って移動する少なくとも１つのエレベータかごと、エレベータかごを駆動するように構成された駆動部材とを備える。
【０００３】
エレベータシステムは通常、エレベータシステムの安全でない状態が検出された場合に、エレベータシステムのいずれかのさらなる動作、特にエレベータかごの全ての動作を停止させるようにエレベータシステムの動作が監視され、チェックされるように構成されたエレベータ安全システムをさらに含む。エレベータシステムの安全でない状態には、特に、整備士などの人員がエレベータシステムを維持及び／または修理するために昇降路に入るという状況が含まれ得る。
【発明の概要】
【発明が解決しようとする課題】
【０００４】
エレベータシステムの安全性を低下させることなくエレベータシステムの保守及び修理を容易にするエレベータ安全システムを提供することは有益である。
【課題を解決するための手段】
【０００５】
本発明の例示的実施形態によれば、エレベータシステムは、複数の乗場の間に延びる昇降路、昇降路に沿って２つの反対方向に移動するように構成されたエレベータかご、及びエレベータ安全システムを含む。エレベータ安全システムは、昇降路に沿って移動し、作動時にエレベータかごの移動を制動するように構成された少なくとも１つの安全装置、昇降路に沿って移動し、少なくとも１つの安全装置を制御するように構成された少なくとも１つの可動安全ノード（可動安全回路）、昇降路内またはその隣に配置された少なくとも１つの静止安全ノード（静止安全回路）、及び安全ノードを互いに接続し、安全ノードが互いに通信できるようにする通信バスを含む。
【０００６】
本発明の例示的実施形態はまた、本発明の例示的実施形態によるエレベータシステムを動作させる方法を含み、この場合方法は、少なくとも２つの安全ノード、特に少なくとも１つの静止安全ノードと１つの可動安全ノードとが、通信バスを介して互いに通信することを含む。
【０００７】
本発明の例示的実施形態によるエレベータ安全システムでは、通信バスを介した少なくとも２つの安全ノードの通信によって、少なくとも１つの安全装置を遠隔で制御することが可能になる。少なくとも１つの安全装置を遠隔で制御することにより、少なくとも１つの安全装置の作動を現在の要求、特にエレベータシステムの現在選択されている動作モードに合わせて調整することが可能になる。したがって、エレベータシステムが保守モードで動作しているとき、少なくとも１つの安全装置は、通常の動作中とは異なるように制御／作動されてもよい。これにより、保守要員の安全性を損なうことなく保守作業を容易にすることができる。
【０００８】
以下に、いくつかのオプションの特徴を示す。これらの特徴は、特に別段に明記しない限り、特定の実施形態において、単独でまたは他の特徴のいずれかと組み合わせて実現され得る。
【０００９】
作動時にエレベータかごを効果的に制動するために、少なくとも１つのエレベータ安全装置及び少なくとも１つの可動安全ノードをエレベータかごに取り付けることができる。
【００１０】
エレベータシステムは、エレベータかごに対して同時に反対方向に移動する釣合おもりを含むことができる。このようなエレベータシステムでは、釣合おもりを、また結果的にエレベータかごを制動するために少なくとも１つのエレベータ安全装置及び少なくとも１つの可動安全ノードを釣合おもりに取り付けることができる。
【００１１】
エレベータシステムは、通信バスに接続され、昇降路内のエレベータかごの位置を検出するように構成された位置センサを備えることができる。結果として、少なくとも１つの安全装置の作動は、エレベータかごの位置に基づいてトリガされ得る。エレベータかごと、昇降路の上端または下端との間の距離が所定の限界よりも小さくなるほど、エレベータかごが昇降路の上端または下端に接近する場合に、特に少なくとも１つの安全装置がトリガされ得る。
【００１２】
位置センサは、位置センサと、昇降路の長さ（高さ）に沿って延びるコード化テープ（図示せず）とを含む絶対的な位置基準システムの一部とすることができる。そのような構成では、位置センサは、昇降路内のエレベータかごの位置を判定するためにコードテープと相互作用するように構成される。コード化テープは、機械的、光学的、及び／または磁気的にコード化することができる。このような構成により、エレベータかごの位置を高精度にて判定することができる。
【００１３】
エレベータシステムは、通信バスに接続され、エレベータかごの速度及び／または加速度を検出するように構成された速度及び／または加速度センサを備えることができる。結果として、少なくとも１つの安全装置の作動は、エレベータかごの速度及び／または加速度に基づいてトリガされ得る。エレベータかごの速度及び／または加速度が所定の限度を超えた場合に、特に、少なくとも１つの安全装置をトリガさせることができる。
【００１４】
位置センサ及び速度及び／または加速度センサは、エレベータかごの位置、速度及び／または加速度を直接検出するように構成することができる。あるいは、位置センサ及び速度及び／または加速度センサは、釣合おもりの位置、速度及び／または加速度を検出して、釣合おもりのエレベータかごの検出された位置、速度及び／または加速度から、エレベータかごの位置、速度及び／または加速度を判定できるように構成されてもよい。
【００１５】
例えば、絶対的な位置センサまたは絶対的な位置センサシステムを昇降路内のエレベータかごの絶対的な位置を検出するために使用してもよく、一方でエレベータかごの速度及び／または加速度を、時間ごとの位置信号の一次及び二次導関数それぞれによって、かご位置信号から判定することができる。
【００１６】
通信バスは、シリアルバス、特にシリアルフィールドバス、例えばＣＡＮバスであってもよい。安全ノード間の安全で信頼性の高い通信を保証するために、静止安全ノードと可動安全ノードは、ＩＥＣ  ６１７８４−３安全規格を満たす通信プロトコルを使用してシリアルバスを介して通信することができる。
【００１７】
エレベータシステムは安全制御部をさらに備えてもよく、少なくとも１つの静止安全ノードは安全制御部と接続され、安全制御部が通信バスを介して通信することを可能にする。少なくとも１つの静止安全ノードは安全制御部に統合することもできる。少なくとも１つの静止安全ノード及び安全制御部は、特に、緊急時・検査制御ユニット（「Ｅ＆Ｉパネル」）に関連付けられるか含まれてもよい。緊急時・検査制御ユニットは、昇降路の外側からアクセス可能であり得る。
【００１８】
安全制御部は、エレベータ駆動装置及び／またはエレベータ駆動装置に設けられたブレーキを制御するように構成することができる。ブレーキは、エレベータ駆動装置の出力軸または出力軸に取り付けられた駆動滑車に作用し得る。安全制御部は、特に、安全制御部に割り当てられた静止安全ノードを介してエレベータ駆動装置及び／またはエレベータ駆動装置に設けられたブレーキを制御するように構成されてもよい。
【００１９】
整備士が昇降路の下端から、特にピットから安全制御部に制御コマンドを送信することを可能にすることによってエレベータシステムの保守を容易にするために、エレベータシステムは、昇降路の下端に位置して通信バスに接続される静止安全ノードを備えることができる。
【００２０】
整備士がエレベータかごの頂部から安全制御部に制御コマンドを送ることを可能にすることによってエレベータシステムの保守を容易にするように、エレベータシステムは、エレベータのかごの頂部、特に天井に位置して通信バスに接続されている可動安全ノードを含み得る。
【００２１】
安全制御部は、安全制御部の動作をエレベータシステムの異なる動作モードに関連する必要性に合わせて調整するために、複数の動作モード間で切り替え可能であり得る。
【００２２】
特に安全制御部は、通常の動作モード、すなわち乗客及び／または貨物を乗場間で輸送するためのモードと、修理及び／または保守作業を実行するために作動される少なくとも１つの動作モード（保守モード）との間で切り替え可能であり得る。安全制御部はさらに、それぞれ異なる種類の保守に関連する複数の異なる保守モードの間で切り替え可能であり得る。
【００２３】
複数の動作モードは、少なくとも１つの所定の上側位置限界及び／または少なくとも１つの所定の下側位置限界を設定する少なくとも１つの動作モードを含み得る。これらの動作モードでは、安全制御部は、エレベータかごの絶対的な位置が所定の上側位置限界を超えるとき、及び／またはエレベータかごの絶対的な位置が所定の下側位置限界を下回るとき、安全装置を作動させるように構成される。そのような動作モードは、エレベータかごと、昇降路の上端及び下端それぞれとの間の所定の最小限の距離になることを確実にし、昇降路内で、エレベータかごの頂部または下で作業する機械工用の避難スペースを形成する。
【００２４】
特に、複数の動作モードは、下側位置限界のみ設定する少なくとも１つのかご下方検査モード、及び／または上側位置限界のみ設定する少なくとも１つのかご頂部検査モード、及び／または上側位置限界と下側位置限界を設定する少なくとも１つの動作モードを含むことができる。
【００２５】
安全制御部は、エレベータかごが昇降路に沿って移動する学習運転中に上側位置限界及び／または下側位置限界を設定するように構成された少なくとも１つの学習モードをさらに含むことができる。
【００２６】
安全制御部は、例えば速度センサによって、または位置センサによって与えられる位置情報を微分することによって、エレベータかごの速度を判定し、エレベータかごの速度が所定の速度制限を超えたとき、安全装置を作動させるように構成され得る。所定の速度制限は、現在選択されている動作モードの関数として、及び／または昇降路内のエレベータかごの位置の関数として設定され得る。
【００２７】
安全制御部は、例えば加速度センサによって、または速度センサによって与えられる速度情報を微分することによって、エレベータかごの加速度を判定し、エレベータかごの加速度が所定の加速度制限を超えたとき、安全装置を作動させるように構成され得る。所定の加速度制限は、現在選択されている動作モードの関数として、及び／または昇降路内のエレベータかごの位置の関数として設定され得る。
【００２８】
以下で、本発明の例示的な実施形態を、添付の図面に関してより詳細に説明する。
【図面の簡単な説明】
【００２９】
【図１】本発明の例示的実施形態によるエレベータシステムを概略的に示す。
【図２】本発明の例示的実施形態によるエレベータ安全システムを概略的に示す。
【発明を実施するための形態】
【００３０】
図１は、本発明の例示的実施形態によるエレベータシステム２を概略的に示す。
【００３１】
エレベータシステム２は、複数の乗場８ａ、８ｂ、８ｃの間に延びる昇降路４内に移動可能に配置されたエレベータかご６０を含む。特にエレベータかご６０は、昇降路４の垂直方向に沿って延びる少なくとも１つのかご案内部材１４（案内レール）に沿って移動可能である。図１には１つのエレベータかご６０しか示していないが、本発明の例示的実施形態は、１つ以上の昇降路４にて移動する複数のエレベータかご６０を有するエレベータシステム２を含み得ることが当業者に理解される。
【００３２】
エレベータかご６０は、引張部材３によって移動可能に吊り下げられている。引張部材３、例えばロープまたはベルトは、エレベータ駆動装置５に接続されている。エレベータ駆動装置５は、モータ６を備え、エレベータかご６０を昇降路４の高さに沿って、異なる階に配置された複数の乗場８ａ、８ｂ、８ｃの間で移動させるために、引張部材３を駆動するように構成される。
【００３３】
各乗場８ａ、８ｂ、８ｃには乗場ドア１１が設けられ、エレベータかご６０には、エレベータかご６０がそれぞれの乗場８ａ、８ｂ、８ｃに位置するとき、乗客が乗場８ａ、８ｂ、８ｃとエレベータかご６０の内部との間を移動することを可能にするために、対応するエレベータかごドア１２が設けられる。
【００３４】
図１に示される例示的な実施形態は、エレベータかご６０を吊り下げるために１：１のローピングを使用する。しかし、当業者は、ローピングの種類が本発明にとって本質的ではないこと、及び異なる種類のローピング、例えば２：１のローピングまたは４：１のローピングも利用できることを容易に理解する。
【００３５】
エレベータシステム２はさらに、エレベータかご６０の反対側で引張部材３に取り付けられ、少なくとも１つの釣合おもり案内部材１５に沿ってエレベータかご６０に対して反対方向に同時に移動する釣合おもり１６を含む。昇降路４の下端３３に形成されたピット２６内には、少なくとも１つの緩衝器２８が設けられる。
【００３６】
当業者は、本発明が釣合おもり１６を含まないエレベータシステム２にも適用され得ることを理解する。
【００３７】
引張部材３は、ロープ、例えばスチールワイヤーロープ、またはベルト、例えばコーテッドスチールベルトであり得る。引張部材３はコーティングされていなくてもよい。あるいは、引張部材は例えばポリマージャケットの形でコーティングを有してもよい。特定の実施形態では、引張部材３は、複数のポリマーコーテッドスチールコード（図示せず）を含むベルトとすることができる。エレベータシステム２は、引張部材３を駆動するための牽引滑車を含む牽引エレベータ駆動装置を有することができる。代替構成では、図面に示してはいないものだが、エレベータシステム２は、例えば油圧エレベータ駆動装置、フリクションホイール、またはリニアエレベータ駆動装置を含む、引張部材３を有さないエレベータシステム２であってもよい。エレベータ駆動装置５は、昇降路４の上端３２の隣に設けられた機械室３０に設置することができる。別法として、エレベータシステム２は、エレベータ駆動装置５が昇降路４内に配置されているエレベータシステム２などの、機械室の無いエレベータシステム２であってよい。エレベータ駆動装置５はまた、昇降路４の周囲に設けられたキャビネット（図示せず）に収容されていてもよい。キャビネットは、例えば乗場ドア１１に取り付ける、または囲まれ得る。
【００３８】
エレベータかご６０を昇降路４に沿って異なる乗場８ａ、８ｂ、８ｃの間で移動させるために、エレベータ駆動装置５はエレベータ制御部１９によって制御される。
【００３９】
制御コマンドは、各乗場８ａ、８ｂ、８ｃに、特に乗場ドア１１の近くに設けられた乗場制御盤７１を介して、及び／またはエレベータかご６０の内側に設けられたエレベータかご制御盤７２を介して、エレベータ制御部１９に入力することができる。
【００４０】
エレベータかご６０の昇降路４に沿った移動を制動するように構成されたエレベータブレーキ７を、エレベータ駆動装置５の隣にまたは一体的に設けることができる。
【００４１】
エレベータシステム２は、昇降路４内のエレベータかご６０の位置を決定するように構成された少なくとも１つの位置センサ１８を備える。
【００４２】
位置センサ１８は、絶対的な位置基準システムの一部、例えば位置センサ１８及び昇降路４の長さ（高さ）に沿って延在するコード化テープ（図示せず）などであり得る。そのような構成では、位置センサ１８は、昇降路４内でエレベータかご６０の位置を判定するためにコードテープと相互作用するように構成される。コード化テープは、機械的、光学的、及び／または磁気的にコード化することができる。
【００４３】
代替的または追加的に、他の種類の位置センサ１８を使用することができる。
【００４４】
エレベータシステム２は、昇降路４に沿って移動するときにエレベータかご６０の速度及び／または加速度を検出するように構成された速度及び／または加速度センサ３４をさらに備える。速度及び／または加速度センサ３４はエレベータかご６０に取り付けられ得る。速度及び／または加速度センサ３４は、位置センサ１８と一体的にまたは別々に形成されてもよい。速度及び／または加速度センサ３４は、特に、エレベータかご６０の速度を判定するために位置センサ１８によって提供される位置情報を使用するように構成されてもよい。
【００４５】
代替的または追加的に、速度及び／または加速度センサ３４によって提供される速度及び／または加速度情報は、エレベータかご６０の位置を判定するために使用されてもよい。
【００４６】
エレベータかご６０に取り付けられた速度及び／または加速度センサ３４に加えてまたはその代わりに、速度及び／または加速度センサ（図示せず）をエレベータ駆動装置５に設けて、エレベータ駆動装置５における引張部材３の速度を検出することによって、エレベータかご６０の速度を判定することができる。
【００４７】
乗場制御盤７１、エレベータかご制御盤７２、位置センサ１８、及び速度及び／または加速度センサ３４は、電線（図１には図示せず）によって、特に電気バスによって、エレベータ制御部１９に接続することができる。代替的または追加的に、無線データ接続は、制御盤７１、７２及び／またはセンサ１８、３４からエレベータ制御部１９へ情報を送信するために使用してもよい。
【００４８】
エレベータかご６０及び釣合おもり１６の少なくとも一方は、少なくとも１つの安全装置２０を備えている。少なくとも１つの安全装置２０は、各々エレベータかご６０及び／または釣合おもり１６の移動を制動するため、それぞれの案内部材１４、１５と係合するように構成された少なくとも１つの係合部材（図示せず）を含む。
【００４９】
存在する場合に釣合おもり１６が引張部材３によってエレベータかご６０に連結されてそれがエレベータかご６０に対して同時に反対方向に移動するようにすると、少なくとも１つの安全装置２０によって釣合おもり１６の移動を制動することがまた、エレベータかご６０の移動を制動する。
【００５０】
少なくとも１つの安全装置２０は、エレベータかご６０の両方向への移動を制動することができる双方向安全機構（図示せず）を含むことができる。あるいは、安全装置２０は少なくとも２つの一方向安全機構を含み、各一方向安全機構はそれぞれ一方向に移動するときにエレベータかご６０の移動を制動するように構成されている。
【００５１】
図１に示す例示的な実施形態では、安全装置２０がエレベータかご６０に取り付けられている。代替的または追加的に、少なくとも１つの安全装置２０を釣合おもり１６に取り付けることができる。図解を明瞭にするために、釣合おもり１６に取り付けた安全装置２０は図１には示していない。
【００５２】
少なくとも１つの安全装置２０は、エレベータ安全システム１の一部である。このようなエレベータ安全システム１の例示的な実施形態は、図２に概略的に描かれている。
【００５３】
少なくとも１つの安全装置２０に加えて、エレベータ安全システム１は、エレベータかご６０に取り付けられた少なくとも１つの可動安全ノード４３、４５と、昇降路内またはその隣、存在する場合は、特に機械室３０内に位置する少なくとも１つの静止安全ノード４２、４４とを備える。エレベータ安全システム１は、静止及び可動安全ノード４２、４３、４４、４５が互いに通信できるようにするために、静止及び可動安全ノード４２、４３、４４、４５を互いに接続する通信バス１７をさらに備える。
【００５４】
エレベータかご６０に取り付けられた可動安全ノード４３は、エレベータかご６０の少なくとも１つの安全装置２０に接続されて制御するように構成されている。釣合おもり１６に少なくとも１つの安全装置２０が設けられている構成（図示せず）では、該安全装置２０を制御するために、可動安全ノードが釣合おもり１６に設けられている。
【００５５】
少なくとも１つの安全装置２０及び関連する可動安全ノード４３は、電子式安全アクチュエータ（ＥＳＡ）２２（図２参照）として一体的に形成することができる。
【００５６】
静止安全ノード４２は、エレベータシステム２の動作を監視するように構成された安全制御部４０に接続されている。静止安全ノード４２は、安全制御部４０に統合することができる。静止安全ノード４２は、安全制御部４０がエレベータかご６０に取り付けられた可動安全ノード４３及び／またはエレベータ安全システム１のさらなる静止または可動安全ノード４４、４５（図１参照）と安全に通信するのを可能にする。安全制御部４０及び静止安全ノード４２は、緊急時・検査制御ユニット４６（Ｅ＆Ｉユニット）内の安全作動ボード（ＳＡＢ）を形成する共通のプリント回路基板（ＰＣＢ）に設けることができる（図２参照）。
【００５７】
静止安全ノード４２は、乗場ドアスイッチ４８から入力信号を受信することができ、各乗場ドアスイッチ４８は、乗場ドア１１の１つに割り当てられ、それぞれ割り当てられた乗場ドア１１が適切に閉じられているか否かを監視するように構成される。図２には、１つの乗場ドアスイッチ４８のみが例示的に示されている。
【００５８】
位置センサ１８及び任意の速度及び／または加速度センサ３４もまた通信バス１７に接続され、それらが安全制御部４０と接続される静止安全ノード４２に、通信バス１７を介してエレベータかご６０の位置、速度及び／または加速度を示すそれらの信号を送ることを可能にする。その結果、安全制御部４０は、位置センサ１８及び速度及び／または加速度センサ３４によって通信バス１７を介して提供された信号に基づいて、エレベータかご６０の位置、速度及び／または加速度を連続的に監視することができる。
【００５９】
安全制御部４０は、特に、エレベータかご６０の検出された位置、速度及び／または加速度のうちの少なくとも１つが所定の限界を超えた場合、及び／または乗場ドア１１の少なくとも１つが適切に閉じられていない場合、エレベータブレーキ７及び／または少なくとも１つの安全装置２０をトリガすることができる。
【００６０】
エレベータかご６０の位置、速度及び／または加速度の限界は、エレベータシステム２の現在の動作モードに依存し得る。特に、安全制御部４０は、通常動作モード、すなわち乗場８ａ、８ｂ、８ｃの間で乗客及び／または貨物を輸送するためのモードと、修理及び／または保守作業を行うために作動される少なくとも１つの動作モード（保守モード）との間で切り替え可能であり得るものである。
【００６１】
安全制御部４０は、複数の動作モード間で切り替え可能であり得る。複数の動作モードは、特に、以下のモードのうちの１つ以上を含み得る。
【００６２】
エレベータかご６０が停止され、少なくとも１つの安全装置の少なくとも１つの係合部材が解放されるが作動されない、「かご頂部デフォルトモード」。該かご頂部デフォルトモードが確立されると、案内レール１４、１５及び少なくとも１つの係合部材を損傷または磨耗させる可能性を低減するために、作動速度が減速される。それはエレベータかご６０の構造に作用する衝撃荷重をさらに減少させる。
【００６３】
このモードは通常、最下位の乗場８ｃの乗場ドア１１を除く乗場ドア１１の１つが通常の（非保守）動作で開かれたときにアクティブである。ドアのロックにリンクされた必須の乗場ドアスイッチ４８に加えて、検出要素を乗場ドア１１のロック解除装置に設けることができる。エレベータシステム２は通常、エレベータ６０の天井６２の上に登ろうとしている整備士３８（図１参照）が保守モードを確立する直前に「かご頂部デフォルトモード」で動作される。
【００６４】
「かご頂部アクセスモード」。「かご頂部アクセスモード」は、例えばスマートワイヤレス装置を介して安全制御部４０に特定の信号を送信することによって作動することができる。該信号を受信すると、エレベータかご６０は所望の乗場８ａ、８ｂ、８ｃ、特にエレベータかご６０の天井６２に容易にアクセスできる位置に移動して停止する。安全を確実にするために、少なくとも１つの安全装置２０が作動されて、エレベータの移動が停止した後に少なくとも１つの係合部材を解放する。
【００６５】
「通常検査モード」のモードでは、エレベータかご６０は、昇降路４内のエレベータかご６０の異なる高さに対応する下側位置限界Ｌと上側位置限界Ｕ（図１参照）との間で移動することができる。しかし、エレベータかご６０は昇降路４の上端３２及び下端３３の隣の制限区域内に移動することはできない。
【００６６】
特にエレベータかご６０の頂部（天井６２）は、エレベータかご６０の上方に避難スペースを設けるために、昇降路４の上端３２（天井）から所定の最小距離Ｄに留まらなければならない。図１に示された実施形態のように、位置センサ１８がエレベータかご６０の頂部に配置されている場合、上側位置限界Ｕは、例えば、基本的に最上の乗場８ａの乗場ドア１１のまぐさ（ｌｉｎｔｅｌ）９の高さに対応し得る。安全制御部４０が「通常検査モード」で動作しているとき、少なくとも１つの係合部材の作動速度を遅くすることができる。
【００６７】
同様に、エレベータかご６０の底部（床６４）は、エレベータかご６０の下方に避難スペースを設けるために、昇降路４の下端３３から所定の最小距離（高さ）ｄに留まらなければならない。位置センサ１８がエレベータかご６０の頂部に配置されている場合、下側位置限界Ｌを設定する際にエレベータかご６０の高さｈを考慮する必要がある。したがって、下側位置限界Ｌは、昇降路４の下端３３の底部３３から、例えば最も下の乗場８ｃにおける乗場ドア１１のまぐさ９の高さに基本的に対応する位置までＤ’＝ｄ＋ｈの距離に設定する必要がある。
【００６８】
上側位置限界Ｕ及び下側位置限界Ｌは、位置センサ１８がエレベータかご６０の下方またはエレベータかご６０の天井６２と床６４との間の垂直位置に配置される場合、上側位置限界Ｕ及び下側位置限界Ｌを異なるように設定する必要があるということを当業者は理解する。
【００６９】
「長い昇降路モード」においては、少なくとも１つの検査モードボタン（図示せず）が所定の時間、例えば数秒間押されると、検査速度が増す。これにより、エレベータかご６０を比較的長い昇降路４に沿ってある距離にわたって短時間で移動させることが可能になる。
【００７０】
「頂部乗場ドア検査モード」では、エレベータかご６０は、最上の乗場８ａの乗場ドア１１のまぐさ９を都合よく検査し修理することができる位置に到達することができる。「頂部乗場ドア検査モード」では、検査速度、すなわちエレベータかご６０の速度が減速され、エレベータかご６０が停止されるたびに少なくとも１つの係合部材が解放される。
【００７１】
「底部乗場ドア検査モード」では、最下の乗場８ｃの乗場ドア１１のまぐさ９を都合よく検査し修理することができる位置にエレベータかご６０を到達させることができる。「底部乗場ドア検査モード」では、検査速度、すなわちエレベータかご６０の速度が減速され、エレベータかご６０が停止されるたびに少なくとも１つの係合部材が解放される。
【００７２】
「昇降路頂部検査モード」では、エレベータかご６０は、昇降路４の上端３２に設置されたエレベータシステム２の構成要素５２を都合よく検査し修理することができる位置に到達することができる。「昇降路頂部検査モード」では、検査速度が低下し、エレベータかご６０が停止するたびに少なくとも１つの係合部材が解放される。
【００７３】
複数の動作モードはさらに、特に昇降路４の下端３３に形成されているピット２６内でエレベータかご６０の下方に位置するエレベータシステム２の緩衝器２８（図１参照）などの構成要素５２にアクセスするために作動するように指定されたピットアクセス及び検査モードを含むことができる。
【００７４】
ピットアクセス及び検査モードは、特に、以下のモードのうちの１つ以上を含み得る。
【００７５】
エレベータかご６０が停止されており、最下の乗場８ｃで乗場ドア１１の敷居１０の下を移動することができない「ピットアクセス及び検査デフォルトモード」。このモードは、エレベータシステム２が通常動作（非保守）モードで動作されている間にピット２６へのアクセスをもたらす乗場ドア１１が開かれたときに作動される。ドアロックにリンクされた必須のスイッチに加えて、乗場ドア１１のドアロック解除装置に検出要素を設けることができる。「ピットアクセス及び検査デフォルトモード」は、整備士３０がピット２６に入るための保守モードを作動する直前のシステムの状態である。
【００７６】
ピット２６に位置するエレベータシステム２の構成要素５２を検査及び／または修理することを可能にする位置にエレベータかご６０及び釣合おもり１６が送られる「ピット作業モード」。「ピット作業モード」では、エレベータかご６０が停止されるとすぐに少なくとも１つの係合部材が解放される。
【００７７】
釣合おもり１６がピット２６内に設けられた少なくとも１つの緩衝器２８に載るまでエレベータかご６０が昇降路４の上端３３に移動される「釣合おもり検査モード」。エレベータかご６０及び釣合おもり１６が該構成で停止されるとすぐに、少なくとも１つの係合部材が解放される。
【００７８】
整備士３８がピット２６にいる間にエレベータかご６０が減速して移動することを許容される「かご底部検査モード」。エレベータかご６０は、少なくとも１つの係合部材を作動させることによって停止され、整備士３０がエレベータかご６０の底部に取り付けられたエレベータシステム２の床６４及び／または構成要素５２を検査及び／または修理することを可能にする。
【００７９】
特に、エレベータかご６０の最高速度は、検査モードの１つにおいて０．７ｍ／ｓまで低下させることができ、エレベータかご６０の最高速度は、整備士３０がピット２６内及び／またはエレベータかご６０の天井６２に存在する場合、さらに０．４ｍ／ｓまでにさえも低下させることができる。
【００８０】
さらなる動作モードは、昇降路４内のエレベータかご６０の最大許容加速度を制限する加速度の限界を含み得る。つまり、このような動作モードでは、エレベータかご６０の実際の加速度が所定の加速度の限界を超えると、エレベータブレーキ７及び／または少なくとも１つの安全装置２０が作動する。
【００８１】
はじめに、例えば工場では、上側位置限界Ｕ及び下側位置限界Ｌ、ならびに速度及び／または加速度の限界を準備的な値に設定することができる。
【００８２】
これらの限界の少なくとも一部は、エレベータシステム２の設置後に行われる学習運転にて調整できる。このような学習運転中、エレベータかご６０は昇降路４に沿って移動し、例えばエレベータかご６０がそれぞれの限界に対応する位置を通過または到達するとき、割り当てられたボタンを押すことによって、上側位置限界Ｕ及び／または下側位置限界Ｌが設定される。このような学習運転中、エレベータかご６０は通常の動作よりも低速で移動することができる。
【００８３】
同様に、エレベータかご６０は学習運転中に加速されてもよく、対応する速度及び／または加速度に到達したときに最大速度及び／または最大加速度がそれぞれ設定されてもよい。
【００８４】
昇降路４の底部３３で行われる保守作業を容易にするために、エレベータシステム２は、昇降路４の下端３３、特にピット２６内に配置された追加の静止安全ノード４４を備えることができる。さらなる静止安全ノード４４は、通信バス１７とピット制御装置５０とに接続できる。このような構成により、整備士３０は、通信バス１７を介して、昇降路４の下端３３／ピット２６から安全制御部４０へとピット制御装置５０に入力された制御コマンドを送信することにより、安全制御部４０を制御することができる。
【００８５】
追加的または代替的に、エレベータシステム２は、エレベータかご６０の天井６２に設けられた追加の可動安全ノード４５をさらに含むことができる。追加の可動安全ノード４５は、通信バス１７及び天井制御装置５４に接続される（図２参照）。エレベータかご６０の天井６２に天井制御装置５４及び可動安全ノード４５を設けることは、エレベータかご６０の天井６２から安全制御部４０へと、天井制御装置５４に入力される制御コマンドを送ることを可能にして、エレベータかご６０の天井６２にて行われる保守作業を容易にする。
【００８６】
エレベータ制御部１９、安全制御部４０、安全ノード４２、４３、４４、４５、及び／または電子式安全アクチュエータ２２は、望ましい機能を提供するための適切なソフトウェアプログラムを実行するプログラム可能なマイクロプロセッサを含むプログラム可能な電子安全ボード（ＰＥＳ）として提供することができる。代替的または追加的に、エレベータ制御部１９、安全制御部４０、安全ノード４２、４３、４４、４５、及び／または電子式安全アクチュエータ２２は、ハードウェア、すなわち電子回路として実装することができる。これは特に、それぞれの機能に合わせてカスタマイズされた特定用途向け集積回路（ＡＳＩＣ）を含むことができる。
【００８７】
安全ノード４２、４３、４４、４５間の安全で信頼できる通信を保証するために、通信バス１７は、シリアルバス、特にＩＥＣ  ６１７８４−３安全規格「Ｉｎｄｕｓｔｒｉａｌ  ｃｏｍｍｕｎｉｃａｔｉｏｎ  ｎｅｔｗｏｒｋｓ  −  Ｐｒｏｆｉｌｅｓ  −  Ｐａｒｔ  ３：  Ｆｕｎｃｔｉｏｎａｌ  ｓａｆｅｔｙ  ｆｉｅｌｄｂｕｓｅｓ  −  Ｇｅｎｅｒａｌ  ｒｕｌｅｓ  ａｎｄ  ｐｒｏｆｉｌｅ  ｄｅｆｉｎｉｔｉｏｎｓ」を満たす通信プロトコルを使用するシリアルフィールドバスとすることができる。安全ノード４２、４３、４４、４５のハードウェア及びソフトウェアの設計は、ＩＥＣ６１５０８「Ｆｕｎｃｔｉｏｎａｌ  ｓａｆｅｔｙ  ｏｆ  ｅｌｅｃｔｒｉｃａｌ／  ｅｌｅｃｔｒｏｎｉｃ／ｐｒｏｇｒａｍｍａｂｌｅ  ｅｌｅｃｔｒｏｎｉｃ  ｓａｆｅｔｙ−ｒｅｌａｔｅｄ  ｓｙｓｔｅｍｓ」に準拠でき、安全装置はエレベータコードＥＮ８１−２０に準拠できる。
【００８８】
本発明を例示的な実施形態を参照して説明してきたが、本発明の範囲から逸脱することなく様々な変更を加えることができ、それらの要素を均等物で置き換えることができることは当業者に理解されよう。さらに、本発明の本質的な範囲から逸脱することなく、本発明の教示に特定の状況または材料を採用するために多くの修正を加えることができる。したがって、本発明は開示された特定の実施形態に限定されるものとするのではなく、本発明は従属請求項の範囲内にあるすべての実施形態を含むことが意図されている。
【符号の説明】
【００８９】
１  エレベータ安全システム
２  エレベータシステム
３  引張部材
４  昇降路
５  エレベータ駆動装置
６  モータ
７  エレベータブレーキ
８ａ、８ｂ、８ｃ  乗場
９  まぐさ
１０  敷居
１１  乗場ドア
１２  エレベータかごドア
１４  かご案内部材
１５  釣合おもり案内部材
１６  釣合おもり
１７  通信バス
１８  位置センサ
１９  エレベータ制御部
２０  安全装置
２２  電子式安全アクチュエータ
２６  ピット
２８  緩衝器
３０  機械室
３２  昇降路の上端
３３  昇降路の下端
３４  スピード及び／または加速度センサ
３８  整備士
４０  安全制御部
４２  静止安全ノード
４３  可動安全ノード
４４  静止安全ノード
４５  可動安全ノード
４６  緊急時・検査制御ユニット
４８  乗場ドアスイッチ
５０  ピット制御装置
５２  エレベータシステムの構成要素
５４  天井制御装置
６０  エレベータかご
６２  エレベータかごの天井
６４  エレベータかごの階
６６  かごの側壁
６８  エレベータかごの内部スペース
７１  乗場制御盤
７２  エレベータかごの制御盤
Ｄ  昇降路の上端から上側位置限界の最小距離
Ｄ’  昇降路の下端から下側位置限界の最小距離
ｄ  昇降路の下端からエレベータかごの底までの最小距離
ｈ  エレベータのかごの高さ
Ｌ  下側位置限界
Ｕ  上側位置限界
【図１】
2020001923.tif 000003
【図２】
2020001923.tif 000004